(57)【要約】【課題】引き違い戸に備えた例えばクレセント錠の補助ロック装置に好適で、簡単な構成で十分な防犯機能と安全性を得られ、しかも所望の換気を容易かつ安全に得られるようにした、引き違い戸のロック装置を提供すること。【解決手段】相対的に引き違い移動可能な一方の戸１に、ロック爪４３を出没可能に設ける。前記ロック爪４３を前記引き違い戸１，２のロック時に突出可能に設け、該ロック爪４３を、他方の戸２の適所に係合可能にした引き違い戸のロック装置であること。前記他方の戸２の所定位置に、複数の係合爪１２を突設したストッパ−１０を取り付ける。前記ロック爪４３の回動軸と同軸上にラチェットカム２５を回動可能に設け、該ラチェットカム２５の回動方向を一方向に選択的に切り換え可能に設ける。前記ラチェットカム２５に、前記係合爪１２と係合可能な複数のラチェット爪３３，３４を突設する。前記ラチェット爪３３，３４を、前記引き違い戸１，２の移動方向に対応して、前記係合爪１２と係合可能に設ける。前記引き違い戸１，２を選択的に開閉可能にする。【選択図】　　　　図１
2004143819.tif 000002
【特許請求の範囲】
【請求項１】
相対的に引き違い移動可能な一方の戸にロック爪を出没可能に設け、該ロック爪を前記引き違い戸のロック時に突出可能に設け、該ロック爪を他方の戸の適所に係合可能にした引き違い戸のロック装置において、前記他方の戸の所定位置に複数の係合爪を突設したストッパ−を取り付け、前記ロック爪の回動軸と同軸上にラチェットカムを回動可能に設け、該ラチェットカムの回動方向を一方向に選択的に切り換え可能に設けるとともに、前記ラチェットカムに前記係合爪と係合可能な複数のラチェット爪を突設し、該ラチェット爪を前記引き違い戸の移動方向に対応して前記係合爪と係合可能に設け、前記引き違い戸を選択的に開閉可能にしたことを特徴とする引き違い戸のロック装置。
【請求項２】
前記引き違い戸の所望開放時、前記ロック爪を前記係合爪に係合可能に位置付け、前記引き違い戸の開放量を拘束可能にした請求項１記載の引き違い戸のロック装置。
【請求項３】
前記ラチェットカムの回動方向を一方向に切り換え、その一つのラチェット爪を前記ロック爪と略同位置で、かつ前記係合爪と係合可能に位置付けた請求項２記載の引き違い戸のロック装置。
【請求項４】
前記ロック爪の回動域に臨ませて、ロックプレ−トを前記ロック爪と係合可能に配置し、前記ロックカムの回動方向を拘束可能にした請求項３記載の引き違い戸のロック装置。
【請求項５】
前記ラチェットカムの回動方向を一方向に切り換え、前記引き違い戸の全閉時、前記一つのラチェット爪を前記係合爪に係合可能に位置付けた請求項１記載の引き違い戸のロック装置。
【発明の詳細な説明】
【０００１】
【発明の属する技術分野】
本発明は、引き違い戸に備えた例えばクレセント錠の補助ロック装置に好適で、簡単な構成で十分な防犯機能と安全性を得られ、しかも所望の換気を容易かつ安全に得られるようにした、引き違い戸のロック装置に関する。
【０００２】
【従来の技術】
例えば引き違い戸を建て付けたサッシ窓には、一般にクレセント錠が取り付けられ、気密性と一定の防犯性を得ている。
しかし、例えばサッシ窓を少し開けて換気する場合、外部からサッシ窓の開放が可能になって、防犯性が低下する問題がある。また、閉扉時にクレセント錠のみの施錠では、防犯機能に不安があり、その改善が望まれていた。
【０００３】
このような要請に応ずるものとして、従来のサッシ窓の換気用補助錠は、外障子と内障子を引き違い可能に設け、外障子の下框の内側に補助錠を設け、該補助錠に内外方向へ出没可能なストッパを設け、該ストッパの突出時に内障子の凸部に当接可能に設け、内障子の開放量を規制していた。
【０００４】
そして、前記ストッパの一側端部に鍵穴を有するロ−タを回動可能に設け、該ロ−タに隣接してロック片を設け、前記ロ−タとロック片をリンクで連結し、キ−操作によるロ−タの回動を介して、ロック片を近接離反動可能にしていた。
【０００５】
前記換気用補助錠の使用は、その解錠時にロック片をロ−タ側へ引き寄せ、前記ストッパの突出を促すとともに、施錠時にロック片をストッパの一側内端部に係合させ、開放した内障子の縦框をストッパの一側端部に当接させて、内障子をロックするようにしていた（例えば、特許文献１参照）。
【０００６】
【特許文献１】
特開２００２−４６７１号公報（第２−３頁、図１）
【０００７】
しかし、前記従来の装置は、補助錠の取り付け後はストッパの位置が固定されるため、内障子の開放量を調節できず、所望の換気を得られない、という問題があった。
また、前記従来の装置は、クレセント錠が機能していない内障子の開放状態の下でロックしているため、防犯機能や安全性の低下が指摘され、予てよりその改善が望まれていた。
【０００８】
【発明が解決しようとする課題】
本発明はこのような問題を解決し、引き違い戸に備えた例えばクレセント錠の補助ロック装置に好適で、簡単な構成で十分な防犯機能と安全性を得られ、しかも所望の換気を容易かつ安全に得られるようにした、引き違い戸のロック装置を提供することを目的とする。
【０００９】
【課題を解決するための手段】
このため、請求項１の発明は、相対的に引き違い移動可能な一方の戸にロック爪を出没可能に設け、該ロック爪を前記引き違い戸のロック時に突出可能に設け、該ロック爪を他方の戸の適所に係合可能にした引き違い戸のロック装置において、前記他方の戸の所定位置に複数の係合爪を突設したストッパ−を取り付け、前記ロック爪の回動軸と同軸上にラチェットカムを回動可能に設け、該ラチェットカムの回動方向を一方向に選択的に切り換え可能に設けるとともに、前記ラチェットカムに前記係合爪と係合可能な複数のラチェット爪を突設し、該ラチェット爪を前記引き違い戸の移動方向に対応して前記係合爪と係合可能に設け、前記引き違い戸を選択的に開閉可能にし、簡単な構成で引き違い戸を所望量開閉可能にし、かつその際の開放量を保持可能にし、所望の換気と換気時の安全性を得られるようにしている。
【００１０】
請求項２の発明は、前記引き違い戸の所望開放時、前記ロック爪を前記係合爪に係合可能に位置付け、前記引き違い戸の開放量を拘束可能にし、所望の換気時の安全性を確保するようにしている。
請求項３の発明は、前記ラチェットカムの回動方向を一方向に切り換え、その一つのラチェット爪を前記ロック爪と略同位置で、かつ前記係合爪と係合可能に位置付け、ロック爪の他にラチェット爪を前記係合爪に係合可能に配置して、ロック時における安全性を強化するようにしている。
【００１１】
請求項４の発明は、前記ロック爪の回動域に臨ませて、ロックプレ−トを前記ロック爪と係合可能に配置し、前記ロックカムの回動方向を拘束可能にし、ロック作動の確実性と信頼性を確保するようにしている。
請求項５の発明は、前記ラチェットカムの回動方向を一方向に切り換え、前記引き違い戸の全閉時、前記一つのラチェット爪を前記係合爪に係合可能に位置付け、引き違い戸の開放を防止するとともに、引き違い戸に備えた錠前を補助し、その安全性を確保するようにしている。
【００１２】
【発明の実施の形態】
以下、本発明を引き違い戸としてサッシ窓に適用した図示の実施形態について説明すると、図１乃至図１２において１，２は引き違い可能に建て付けた引き違い戸である内外一対のサッシ窓で、これらのサッシ窓１，２は、サッシ枠からなる左右一対の縦框３，３および４，４と、上下一対の横框５，５および６，６とを矩形に枠組み、それらの間にガラス７，８を取り付けている。
この場合、サッシ窓１，２は相対的に引き違い可能であれば良く、何れか一方がいわゆる嵌め殺し型であっても良い。
【００１３】
前記各一方の縦框３，４間の中高位置に、錠前であるクレセント錠（図示略）が取り付けられ、該クレセント錠を介して開閉可能にされている。
前記サッシ窓１，２の室内側で、互いに引き違い移動可能な縦框３と横框６の対応位置、実施形態では縦框３の下端部と下側の横框６の一側端部に亘って、ロック装置９が取り付けられている。
【００１４】
前記ロック装置９は、ストッパ−１０とロック装置本体１１とで構成され、このうちストッパ−１０は図９のように、対磨耗性の合成樹脂材によって細長の板体に形成され、その一側面に長さ方向に沿って略矩形断面の複数の係合爪１２を突設している。
前記ストッパ−１０は、取り付け手段である両面接着テ−プ１３を介して、横框６の内面にサッシ窓１の移動方向に沿って取り付けられ、所望の係合爪１２の位置でサッシ窓１または２をロック可能にしている。
【００１５】
前記ロック装置本体１１は、合成樹脂製の扁平な箱形のケ−ス１４を備え、該ケ−ス１４の一側に支持板１５が上向きに突設されている。
前記支持板１５は、取り付け手段である両面接着テ−プ１６を介して、縦框３の下端面に取り付けられ、前記ロック装置本体１１をストッパ−１０と略同高位置に取り付けている。
図中、１７はロック装置本体１１の一側端部に突設した補強板で、その一端部を前記支持板１４に接合している。
【００１６】
前記ケ−ス１４の上面中央の一側寄りに円錐台形の段部１８が突設され、該段部１８の中央に鍵孔１９が形成されている。
前記鍵孔１９に操作摘み２０と一体のキ−軸２１が抜き差し可能に挿入され、その挿入時に後述するロックカムとラチェットカムを回動可能にしている。図中、２２はキ−軸２１に突設した凸部である。
【００１７】
すなわち、前記ケ−ス１４の上部内面に中空筒状の軸部２３が突設され、該軸部２３は周面を複数のスリット２４で区画していて、該区画片の弾性によって半径方向に拡縮可能にされ、該軸部２２にラチェットカム２５が回動可能に嵌着されている。
【００１８】
図中、２６は前記軸部２３の内部に形成した凹孔で、該孔に後述するロックカムの軸筒部が回動可能に挿入され、該孔２６の上端部に前記鍵孔１９が開口されている。
２７は前記ケ−ス１４の上部内面の片側に形成した段部で、後述するラチェットカム２５の係止爪に回動域に臨ませて、係止突起２７ａ，２７ｂを形成し、前記係止爪ないしラチェットカム２５の回動角度を規制可能にしている。
【００１９】
前記ラチェットカム２５は、亜鉛合金ダイカストによって略円板状に成形され、その中央に前記軸部２３に嵌合可能な係合孔２８が形成され、該孔２８の外側の同心円上に円弧状のカム溝２９と、ピン孔３０が略対向位置に設けられ、前記カム溝２９の一側にピン３１が突設されている。
【００２０】
前記カム溝２９とピン孔３０の外側に亘って段部３２が設けられ、該段部３２の両側にラチェット爪３３，３４が突設されている。
前記ラチェット爪３３，３４は互いに線対称に形成され、それらを前記係合爪１２と選択的に係合可能にされている。
【００２１】
このうち、一方のラチェット爪３３は前記係止突起２７ａに係合可能にされ、他方のラチェット爪３４は前記係止段部２７ｂに係合可能にされていて、それらの係合時にラチェットカム２５の回動角度を規制している。
【００２２】
前記ピン３１に捩りバネ３５の一端が掛け止められ、この他端が前記係止段部２７周辺に突設したピン３６に掛け止められ、該捩りバネ３５の弾性を介して、ラチェットカム２５を左右何れの方向に選択的に回動可能に付勢している。
【００２３】
前記捩りバネ３５は図４のように線材を捲回して三つのコイル部を形成し、その両端のコイル部を前記ピン３１，３６に掛け止め、中間のコイル部に捩り弾性を蓄積させている。
そして、操作摘み２０によってラチェットカム２５が回動し、該カム２５と同動するピン３１が、ピン３６とスリット２４，２４を通る回動方向分岐線Ｌを越えたか否かによって、ラチェットカム２５の回動付勢方向を切り換え可能にしている。
【００２４】
すなわち、ピン３１が図５のように回動方向分岐線Ｌの下側に位置するときは、ラチェットカム２５は反時計方向へ回動可能に付勢され、上側に位置するときは、ラチェットカム２５は時計方向へ回動可能に付勢されている。
【００２５】
前記凹孔２６にロックカム３７の軸筒部３８が回動可能に挿入され、該カム３７は亜鉛合金ダイカストによって、前記ラチェットカム２５と略同径の円板形に成形されている。
前記軸筒部３８の上部に凹孔３９が形成され、該孔３９にキ−軸２１が差し込まれ、その凸部２２を軸筒部３８の上部周面に形成した切欠溝４０に係入可能にしている。図中、４１は前記凹孔３９の底部に形成した通孔または凹孔で、キ−軸２１の下端を収容可能にしている。
【００２６】
前記ロックカム３７の上面にピン４２が突設され、該ピン４２が前記ラチェットカム２５のカム溝２９とピン孔３０に係脱可能にされている。すなわち、ピン４２は操作摘み２０の押圧操作を介して、カム溝２９若しくはピン孔３０との係合を解除し、操作摘み２０の回動操作を介して、カム溝２９若しくはピン孔３０へ係合可能にされている。
【００２７】
前記ピン４２の直径方向に略横長矩形のロック爪４３が突設され、サッシ窓１，２のロック時に前記係合爪１２と係合可能にされている。
また、前記ロックカム３７の下面の中央に、前記通孔４１に連通する凹孔状のバネ受４４が形成され、該バネ受４４にコイル状のスプリング４５が挿入されている。
【００２８】
前記スプリング４５は下端部を底板４６に着座し、その弾性を介して常時はロックカム３７を上方へ付勢し、ラチェットカム２５に押し付けている。
図中、４７は前記バネ受４４に近接して突設した係止ピンで、後述する底板４６のカム溝４８に係合可能に形成され、その中高部に大径部４９を形成している
【００２９】
前記大径部４９は常時は底板４６の外側に突出して、カム溝４８の口縁部に係合可能に配置され、カム溝４８の両端位置では、底板４６の内側へ没入可能にされている。図中、５０はケ−ス１４の底面の四隅に設けたネジ孔で、後述のビスをねじ込み可能にしている。
【００３０】
前記底板４６は、鋼板によってケ−ス１４の平面形状と同形の略矩形に形成され、その中間位置にカム溝４８を形成している。
前記カム溝４８は略勾玉形状に形成され、その形状は前記係止ピン４７の回動軌跡と同形の半円弧状に形成され、その溝幅は係止ピン４７の外径より幅広で大径部４９よりも幅狭に形成されている。
前記カム溝４８の両端部に、前記大径部４９よりも大径のカム孔５１，５２が形成され、該孔５１，５２から大径部４９を没入可能にしている。
【００３１】
図中、５３は底板４６の一側を起立形成したロックプレ−トで、サッシ窓１，２のロック時に前記ロック爪４３と係合可能にされている。５４は底板４６の四隅に形成したビス孔で、ビス５５を挿入可能にしている。この他、図中５６は前記軸筒部３８の基部に設けた補強凸部である。
【００３２】
このように構成した引き違い戸のロック装置は、ストッパ−１０とロック装置本体１１とからなり、このうちストッパ−１０と、前記装置本体１１のケ−ス１４とは樹脂成形し、ラチェットカム２５とロックカム３７とはダイカスト成形することで、それぞれを均質かつ安価に製作し得、また底板４６は鋼板をプレス成形して、均質かつ安価に製作し得る。
なお、操作摘み２０とキ−軸２１は、形状寸法の合致する市販のキ−で代用することも可能である。
【００３３】
次にロック装置本体１１を組み立てる場合は、ケ−ス１４内の軸部２３にラチェットカム２５の係合孔２８を押し込み、スリット２４を押し縮め、軸部２３を縮径してラチェットカム２５を回動可能に嵌着し、スリット２４ないし軸部２３を復元して、ラチェットカム２５を抜け止める。
その際、捩りバネ３５の一端をピン３１に掛け止め、他端をケ−ス１４内のピン３６に掛け止め、ラチェットカム２５を捩りバネ３５の弾性を介して回動可能に付勢する。
【００３４】
この後、軸部２３の凹孔２６にロックカム３７の軸筒部３８を挿入し、ピン４２をピン孔３０若しくはカム溝２９に差し込み、この他側のバネ受４４にスプリング４５を挿入する。
そして、底板４６をケ−ス１４の下端面に位置付け、ビス５５をビス孔５４に挿入し、これをネジ孔５０にねじ込んで、底板４６を取り付ける。
【００３５】
その際、係止ピン４７をカム溝４８に挿入し、前記ピン４７の移動を可能にするとともに、前記スプリング４５の下端を底板４６に着座させ、その弾性によってロックカム３７を上方に付勢する。
【００３６】
こうして組み立てたロック装置本体１１とストッパ−１０を用いて、サッシ窓１，２にロック装置９を取り付ける場合は、両面接着テ−プ１６，１３を適宜寸法に裁断し、これらを支持板１５とストッパ−１０の裏面に貼り付けて置く。
【００３７】
次に、縦框３と横框５に対するロック装置本体１１とストッパ−１０の取り付け位置を決定し、当該部を清浄後、両面接着テ−プ１６，１３の剥離紙を剥し、その粘着部を前記取り付け位置に貼り付け、ロック装置本体１１とストッパ−１０を取り付ける。
【００３８】
すなわち、ロック装置本体１１を支持板１５介して縦框３の下端部に取り付け、またストッパ−１０を横框６の縦框４側端部に取り付け、それらのラチェット爪３３，３４若しくはロック爪４３と、係合爪１２とを係合可能に配置する。この状況は図１のようである。
【００３９】
この場合、実施形態では、サッシ窓１，２の換気位置で双方をロックさせているが、それらの全閉位置でロックさせても良く、その場合は縦框３，４の対向位置でロック可能にすれば良い。
【００４０】
こうしてロック装置９を取り付けたサッシ窓１，２は、クレセント錠（図示略）の施解錠操作によって開閉可能になる。
前記クレセント錠（図示略）の施錠時、つまりサッシ窓１，２の全閉時は、ロック装置本体１１は図１１の仮想線位置に置かれ、その作動状態は閉扉時と略同様である。
【００４１】
すなわち、サッシ窓１，２の全閉時は、一方のラチェット爪３４がケ−ス１４の外側に突出し、該ラチェット爪３４がストッパ−１０の一側端部の係合爪１２に係合可能に位置し、他方のラチェット爪３３とロック爪４３とがケ−ス１４内に収納されている。
【００４２】
このような状況の下では、ラチェットカム２５が捩りバネ３５の弾性によって、図１１上時計方向へ回動可能に付勢され、ラチェット爪３３が係止段部２７ｂに係合している。
また、ピン４２がカム溝２９の一端に係入し、ロックカム３７とラチェットカム２５とがピン結合している。
【００４３】
したがって、ロックカム３７が捩りバネ３５の弾性によって、ラチェットカム２５と同方向へ回動可能に付勢され、ロック爪４３が係止突起２７ａの一側面に係合している。この状況は図５のようである。
【００４４】
この場合、係止ピン４７は、カム溝４８の一端のカム孔５１に位置している。また、切欠溝４０に係合するキ−軸２１の凸部２２が、段部１８の内面と係合し、操作摘み２０がケ−ス１４から引き抜き不可能に置かれている。
【００４５】
このような状況の下でサッシ窓１，２を開放する場合は、操作摘み２０を保持し、これを捩りバネ３５の弾性に抗して、図１１上反時計方向へ略９０°回動する。
このようにすると、操作摘み２０の回動力が、切欠溝４０およびキ−軸２１の凸部２２を介して、ラチェットカム２５に伝わり、該カム２５が操作摘み２０と同動し、該カム２５にピン連結されたロックカム３７が同動する。
【００４６】
その際、ピン３１が図１１上回動方向分岐線Ｌの右側に移動し、捩りバネ３５の回動付勢方向が時計方向から反時計方向へ反転し、該捩りバネ３５の弾性によって、ラチェットカム２５が反時計方向へスナップ回動する。
【００４７】
このため、ラチェット爪３４がケ−ス１４内に収納され、これが係止突起２７ａの一側面に係合して、回動を停止するとともに、ラチェット爪３３がケ−ス１４の外側に突出し、ストッパ−１０の一側端の係合爪１２と係合可能に位置する
【００４８】
この状況は図１０のようで、ロック爪４３がラチェット爪３３と９０°位相がずれて位置し、係止ピン４７がカム溝４８の中央に位置し、またロックカム３７のピン４２がカム溝２９の一側端部に係入している。
【００４９】
このような状況の下でサッシ窓１または２の縦框３，４を把持し、これを開方向へ移動する。図１０の実施形態では、サッシ窓１を矢視方向へ引き動かしている。
【００５０】
このようにすると、サッシ窓１と一緒にロック装置本体１１が移動し、ラチェット爪３３がストッパ１０の係合爪１２と係合し、該爪３３が捩りバネ３５の弾性に抗して図１０上時計方向へ回動し、係合爪１２を乗り越える。
【００５１】
この後、サッシ窓１を同方向へ移動し、ラチェット爪３３が複数の係合爪１２を乗り越え、サッシ窓１を所望量開放することで、所望の換気を得られる。
サッシ窓１の開放後、その換気状態を維持する場合は、操作摘み２０を保持し、これを捩りバネ３５の弾性に抗して図１０上時計方向へ回動する。
【００５２】
前記操作摘み２０は、切欠溝４０に係合するキ−軸２１の凸部２２が段部１８の内面と係合し、ケ−ス１４から引き抜き不可能に置かれている。
【００５３】
こうして操作摘み２０を回動すると、凸部２２と係合する切欠溝４０を介して、操作摘み２０の回動力がロックカム３７に伝わり、該ロックカム３７の回動力が、ピン４２と係合するカム溝２９を介して、つまりピン４２とカム溝２９との係合状態を維持してラチェットカム２５に伝わり、これらのカム３７，２５が前記方向へ同動する。
【００５４】
そして、ピン３１が回動方向分岐線Ｌを越えたところで、捩りバネ３５の付勢回動方向が反時計方向から時計方向へ反転し、該弾性によってラチェットカム２５が図１０上時計方向へ回動し、ラチェット爪３４がケ−ス１４の外側へ突出し、ラチェット爪３３がケ−ス１４内に収納される。
【００５５】
この後、ラチェット爪３３が係止段部２７ｂに係合し、またロックカム３７のロック爪４３が係止突起２７ａの他側面に係合し、ロックカム３７とラチェットカム２５とが回動を停止する。
【００５６】
次に操作摘み２０を押圧し、凸部２２を切欠溝４０の底部に係合して、ロックカム３７をスプリング４５の弾性に抗して押し下げ、それらを離間させてピン４２とカム溝２９との係合を解除する。
そして、前記解除状態を維持し、つまり操作摘み２０を押圧しながら、該摘み２０を捩りバネ３５の弾性に抗して、図１０上反時計方向へ略１８０°回動し、これにロックカム３７を同動させる。
【００５７】
このようにすると、ロック爪４３がケ−ス１４の外側に突出し、係合爪１２と係合可能に位置する。
その際、ピン４２がピン孔３０の直下に移動し、この状況の下で操作摘み２０の押圧操作を停止すると、ロックカム３７がスプリング４５の弾性によって押し上げられ、前記ピン４２がピン孔３０に係入して、ロックカム３７とラチットカム２５とがピン結合される。
【００５８】
この場合、前記操作摘み２０の回動操作によって、係合ピン４７がカム溝４８に沿って移動し、該ピン４７がカム溝４８の一端のカム孔５１位置へ移動したところで、大径部４９と一緒にカム孔５１の内側へ没入し、前記ピン４２とピン孔３０との係合を促す。
【００５９】
このように前記ロック爪４３の突出時は、ラチェット爪３３が係止段部２７ｂに係合して、ラチットカム２５の図１２上時計方向への回動が阻止され、また前記ラチットカム２５とのピン結合によって、ロックカム３７が前記方向の回動を阻止される。
【００６０】
また、ロック爪４３の側端部が、図２および図１２のようにロックプレ−ト５３と係合し、図１２上ロック爪４３の反時計方向への回動を阻止し、ロック爪４３と隣接の係合爪１２との係合を阻止する。
【００６１】
したがって、前記ロック時はロック爪４３と係合爪１２とが係合して、サッシ窓１，２の開放を阻止し、またラチェット爪３３も係合爪１２に係合可能に位置するから、防犯機能を増強し、当初の換気状態を強固に維持する。
【００６２】
一方、前記ロック時は、切欠溝４０が図１２のように鍵孔１９の直下に同相状態で位置するから、操作摘み２０を鍵孔１９から引き抜くことができる。
したがって、操作摘み２０を取り外し、これを適所に隠蔽しまたは保管して置けば、前記換気状態の防犯機能を一層向上し得る。
【００６３】
このようなロック状態からサッシ窓１，２を閉鎖する場合は、操作摘み２０を鍵孔１９に挿入し、これを押圧して凸部２２を切欠溝４０の底部に係合し、ロックカム３７をスプリング４５の弾性に抗して押し下げ、ロックカム３７をラチェットカム２５から離間させて、ピン４２とカム溝２９との係合を解除する。
【００６４】
そして、前記解除状態を維持し、つまり操作摘み２０を押圧しながら、該摘み２０を図１２上時計方向へ略１８０°回動し、ロック爪４３をケ−ス１４の内側に収納し、該爪４３を係止突起２７ａの他側面に係合する。すなわち、ラチェット爪３４の前述の突出状態を維持しながら、ロック爪４３だけを収納する。
【００６５】
この後、操作摘み２０から手を離し、スプリング４５の弾性によってロックカム２５を押し上げ、ピン４２をカム溝２９に係合して、ロックカム２５とラチェットカム３７とをピン連結する。この状況は図１１のようである。
【００６６】
このような状況の下でサッシ窓１，２、実施形態ではサッシ窓１を矢視方向へ引き動かすと、サッシ窓１と一緒にロック装置本体１１が移動し、そのラチェット爪３４が係合爪１２と係合する。
【００６７】
前記ラチェット爪３４は捩りバネ３５の弾性によって、図１１上時計方向へ回動可能に付勢されているため、係合爪１２との係合時、前記捩りバネ３５の弾性に抗して図１１上反時計方向へ回動し、前記係合爪１２を乗り越える。
【００６８】
この後、サッシ窓１を同方向へ開放相当分引き動かし、ラチェット爪３４が複数の係合爪１２を乗り越え、ストッパ−１０の一側端部の係合爪１２に係合可能に移動したところで、閉鎖される。この状況は図１１の仮想線で示すようで、この後クレセント錠を施錠すれば、サッシ窓１，２が完全に閉鎖される。
【００６９】
このようなクレセント錠による施錠時は、一方のラチェット爪３４がケ−ス１４の外側に突出し、ストッパ−１０の一側端部の係合爪１２に係合可能に位置し、他方のラチェット爪３３とロック爪４３とがケ−ス１４内に収納されている。
【００７０】
前記ラチェットカム２５は捩りバネ３５の弾性によって、図１１上時計方向へ回動可能に付勢され、ラチェット爪３３が係止段部２７ｂに係合していて、前記方向の回動を阻止している。
したがって、ラチェット爪３４と前記ストッパ−１０との係合によって、サッシ窓１，２の開放を阻止し、前記クレセント錠による施錠機能を補助する。
【００７１】
【発明の効果】
以上のように、請求項１の発明は、他方の戸の所定位置に複数の係合爪を突設したストッパ−を取り付け、前記ロック爪の回動軸と同軸上にラチェットカムを回動可能に設け、該ラチェットカムの回動方向を一方向に選択的に切り換え可能に設けるとともに、前記ラチェットカムに前記係合爪と係合可能な複数のラチェット爪を突設し、該ラチェット爪を前記引き違い戸の移動方向に対応して前記係合爪と係合可能に設け、前記引き違い戸を選択的に開閉可能にしたから、簡単な構成で引き違い戸を所望量開閉でき、かつその際の開放量を保持可能にして、所望の換気と換気時の安全性を確保することができる。
【００７２】
請求項２の発明は、前記引き違い戸の所望開放時、前記ロック爪を前記係合爪に係合可能に位置付け、前記引き違い戸の開放量を拘束可能にしたから、所望の換気時の安全性を確保することができる。
請求項３の発明は、前記ラチェットカムの回動方向を一方向に切り換え、その一つのラチェット爪を前記ロック爪と略同位置で、かつ前記係合爪と係合可能に位置付けたから、ロック爪の他にラチェット爪を前記係合爪に係合可能に配置して、ロック時における安全性を強化することができる。
【００７３】
請求項４の発明は、前記ロック爪の回動域に臨ませて、ロックプレ−トを前記ロック爪と係合可能に配置し、前記ロックカムの回動方向を拘束可能にしたから、ロック作動の確実性と信頼性を確保することができる。
請求項５の発明は、前記ラチェットカムの回動方向を一方向に切り換え、前記引き違い戸の全閉時、前記一つのラチェット爪を前記係合爪に係合可能に位置付けたから、引き違い戸の開放を防止するとともに、引き違い戸に備えたクレセント錠等の錠前を補助し、その安全性を確保することができる。
【図面の簡単な説明】
【図１】本発明をサッシ窓に適用した実施形態を示す斜視図で、サッシ窓の全閉時の状況を示している。
【図２】図１のロック装置本体をサッシ窓側から見た正面図で、若干拡大して示している。
【図３】図１のＡ−Ａ線に沿う断面図で、若干拡大して示している。
【図４】本発明に適用したロック装置本体を分解して示す斜視図である。
【図５】図２に示すロック装置本体の底面図である。
【図６】本発明に適用したロックカムの底面図で、若干拡大して示している。
【図７】図６のＢ−Ｂ線に沿う断面図である。
【図８】本発明に適用した底板の底面図で、若干拡大して示している。
【図９】本発明に適用したストッパ−を示す斜視図である。
【図１０】本発明の作動状態を示す拡大平面図で、サッシ窓の開放初期の状況を示している。
【図１１】本発明の作動状態を示す拡大平面図で、サッシ窓開放後の閉鎖初期の状況を示している。
【図１２】本発明の作動状態を示す拡大平面図で、サッシ窓開放時のロック状態を示している。
【符号の説明】
１，２　　　　　　　　　　　引き違え戸（サッシ窓）
９　　　　　　　　　　　　　ロック装置
１０　　　　　　　　　　　ストッパ−
１２　　　　　　　　　　　係合爪
２５　　　　　　　　　　　ラチェットカム
３３，３４　　　　　　　　ラチェット爪
４３　　　　　　　　　　　ロック爪
５３　　　　　　　　　　　　　　　　　　ロックプレ−ト
【図１】
2004143819.tif 000003
【図２】
2004143819.tif 000004
【図３】
2004143819.tif 000005
【図４】
2004143819.tif 000006
【図５】
2004143819.tif 000007
【図６】
2004143819.tif 000008
【図７】
2004143819.tif 000009
【図８】
2004143819.tif 000010
【図９】
2004143819.tif 000011
【図１０】
2004143819.tif 000012
【図１１】
2004143819.tif 000013
【図１２】
2004143819.tif 000014